(57)【要約】【課題】  電源をフレキシブルケーブルを介して電子機器に接続する際のフレキシブルケーブルの斜め挿しを防止することができる斜め挿し防止機能付き電源供給装置を提供すること。【解決手段】  フレキシブルケーブル１３を介して電子機器１１に第１の電源１５及び第２の電源１６を供給する電源供給装置において、フレキシブルケーブルの両端に斜め挿し検出ライン１３ａ，１３ｂを設けておき、フレキシブルケーブルを電子機器に装着したときに、前記電子機器に供給された第１の電源１５の電圧レベルが検出ライン１３ａ，１３ｂのいずれもから検出された場合に電源供給部は電子機器１１に対して第２の電源１６を供給する制御手段１４とを具備したことを特徴とする。【選択図】      図１
2006092868.tif 000002
【特許請求の範囲】
【請求項１】
フレキシブルケーブルを介して電子機器に第１の電源及び第２の電源を供給する電源供給装置において、
前記フレキシブルケーブルの両端に斜め挿し検出ラインを設けておき、
前記電源供給装置は、前記フレキシブルケーブルを前記電子機器に装着したときに、前記電子機器に供給された第１の電源の電圧レベルが前記検出ラインのいずれもから検出された場合に前記電子機器に対して第２の電源を供給する制御手段とを具備したことを特徴とするフレキシブルケーブル斜め挿し防止機能付き電源供給装置。
【請求項２】
前記電子機器はインクジェットヘッドであることを特徴とする請求項１記載のフレキシブルケーブル斜め挿し防止機能付き電源供給装置。
【請求項３】
前記検出ラインのコンタクト部の長さは他のラインのコンタクト部の長さより１０パーセント以上短いことを特徴とする請求項１記載のフレキシブルケーブル斜め挿し防止機能付き電源供給装置。
【請求項４】
両端に斜め挿し検出ラインが設けられ、その検出ラインのコンタクト部の長さは他のラインのコンタクト部の長さより１０パーセント以上短いことを特徴とするフレキシブルケーブル。
【発明の詳細な説明】
【技術分野】
【０００１】
本発明は、フレキシブルケーブル斜め挿し防止機能付き電源供給装置及びフレキシブルケーブルに関する。
【背景技術】
【０００２】
図５に示すように、例えば、インクジェットヘッド１のような電子機器は機器内部に電源を持たないで、外部の電源供給装置２からフレキシブルケーブル３を介して電源が供給されている。例えば、インクジェットヘッド１には、電源供給装置２から５Ｖと主電源であるＶcc（３６．５Ｖ）の２種類の電源が供給されていた。
【０００３】
なお、各種電子機器に使用されるチップ形固体電解コンデンサの素子収納率を改善したチップ形固体電解コンデンサが知られている（例えば、特許文献１参照）。
【０００４】
また、フレキシブルフラットケーブルが誤挿入された場合に回路の短絡による装置の破壊の未然に防止するようにしたフレキシブルフラットケーブルが知られている（例えば、特許文献２参照）。
【特許文献１】特開２０００−３４８９７５
【特許文献２】特開２００２−５６９３５
【発明の開示】
【発明が解決しようとする課題】
【０００５】
そして、フレキシブルケーブル３をインクジェットヘッド１のコネクタに斜めに挿入すると、主電源であるVccを供給するラインＬ1と隣接するラインＬ２が接触することがある。
【０００６】
このように、Vccを供給するラインＬ1と隣接するラインＬ２が接触すると、インクジェットヘッド１のラインＬ２に接続されているダンピング抵抗Ｒdが破壊するという問題があった。
【０００７】
本発明は上記の点に鑑みてなされたもので、その目的は、電源をフレキシブルケーブルを介して電子機器に接続する際のフレキシブルケーブルの斜め挿しを防止することができる斜め挿し防止機能付き電源供給装置及びフレキシブルケーブルを提供することにある。
【課題を解決するための手段】
【０００８】
請求項１記載の発明は、フレキシブルケーブルを介して電子機器に第１の電源及び第２の電源を供給する電源供給装置において、前記フレキシブルケーブルの両端に斜め挿し検出ラインを設けておき、前記電源供給装置は、前記フレキシブルケーブルを前記電子機器に装着したときに、前記電子機器に供給された第１の電源の電圧レベルが前記検出ラインのいずれもから検出された場合に前記電子機器に対して第２の電源を供給する制御手段とを具備したことを特徴とする。
【０００９】
請求項２記載の発明は、請求項１記載の前記電子機器はインクジェットヘッドであることを特徴とする。
【００１０】
請求項３記載の発明は、請求項１記載の前記検出ラインのコンタクト部の長さは他のラインのコンタクト部の長さより１０パーセント以上短いことを特徴とする。
【００１１】
請求項４記載の発明は、両端に斜め挿し検出ラインが設けられ、その検出ラインのコンタクト部の長さは他のラインのコンタクト部の長さより１０パーセント以上短いことを特徴とする。
【発明の効果】
【００１２】
請求項１及び２記載の発明によれば、フレキシブルケーブルの斜め挿しが検出された場合には、第２の電源を電子機器に供給しないようにしたので、電子機器内での回路部品の破壊を未然に防止することができる。
【００１３】
請求項３記載の発明によれば、フレキシブルケーブルの両端のコンタクト部の長さを他のコンタクト部よりも短くするようにしたので、フレキシブルケーブルの斜め挿しを検出し易くすることができる。
【００１４】
請求項４記載の発明によれば、フレキシブルケーブルの斜め挿しを検出することができる。
【発明を実施するための最良の形態】
【００１５】
以下、図面を参照して本発明の一実施の形態について説明する。図１はインクジェットヘッドとこのインクジェットヘッドを制御するコントローラとの接続を示す構成図である。
【００１６】
図において、１１は電子機器としてのインクジェットヘッド、１２はこのインクジェットヘッド１１を制御する電源供給装置としてのコントローラ、１３はインクジェットヘッド１１とコントローラ１２とを接続する例えば２０のコンタクト部を有するフレキシブルケーブルである。
【００１７】
このフレキシブルケーブル１３の両端は、それぞれオスコネクタが設けられており、このオスコネクタはインクジェットヘッド１１あるいはコントローラ１２に設けられたメスコネクタ１１ａ，１２ａに接続されている。
【００１８】
また、フレキシブルケーブル１３の両端は斜め挿しを検出するために設けられたライン１３ａ、１３ｂが設けられている。また、フレキシブルケーブル１３の両端のライン１３ａ，１３ｂとの間にある１８本のラインのうちの１本のライン１３ｃは、コントローラ１１２からインクジェットヘッド１１に５Ｖの電源（第１の電源）が供給されるラインであり、他のライン１３ｄはコントローラ１２からインクジェットヘッド１１に３６．５Ｖの電源（第２の電源）が供給されているラインである。また、フレキシブルケーブル１３の他のラインはインクジェットヘッド１１内のダンピング抵抗Ｒｄ等に接続されている。
【００１９】
前記ライン１３ａ及び１３ｂはメスコネクタ１２ａを介してそれぞれ電源コントローラ14の端子ＩＮ１，ＩＮ２にそれぞれ接続される。
【００２０】
また、前記ライン１３ｃを介してインクジェットヘッド１１に供給される５Ｖの電源は、プルアップ抵抗ｒ１を介してメスコネクタ１１ａの最左端のコネクタに供給されている。さらに、前記ライン１３ｃを介してインクジェットヘッド１１に供給される５Ｖの電源は、プルアップ抵抗ｒ２を介してメスコネクタ１１ａの最右端のコネクタに供給されている。
【００２１】
１４はコントローラ１２内に設けられた電源コントローラである。この電源コントローラ１４はマイクロプロセッサを搭載しており、図２のフローチャートに示すような処理を行う。
【００２２】
この電源コントローラ１４には２つの電源、つまり５Ｖの電源（第１の電源）１５と３６．５Ｖの電源（第２の電源）１６が接続されている。さらに、この電源コントローラ１４にはフレキシブルケーブル１３の前述したライン１３ａ〜１３ｄがメスコネクタ１２ａを介して接続されている。
【００２３】
次に、上記のように構成された本発明の一実施の形態の動作について説明する。まず、図１に示すようにインクジェットヘッド１１のメスコネクタ１１ａとコントローラ１２のメスコネクタ１２ａとの間にフレキシブルケーブル１３を接続する。そして、コントローラ１２の電源スイッチ（図示しない）をオンすると、電源コントローラ１４は図２のフ
ローチャートに示す処理を開始する。
【００２４】
まず、５Ｖ電源をオンする処理がなされる（ステップＳ１）。つまり、電源１５から５Ｖの電源がライン１３ｃを介してインクジェットヘッド１１に供給される。この結果、プルアップ抵抗ｒ１及びｒ２の一端には５Ｖの電源が供給される。
【００２５】
もし、フレキシブルケーブル１３の一端がメスコネクタ１１ａに真っ直ぐ挿入されていれば、ライン１３ａ及び１３ｂのそれぞれに５Ｖの信号（Ｈレベル信号）が供給される。
【００２６】
電源コントローラ１４は端子ＩＮ１に入力される信号がＨレベルであるかを判定する（ステップＳ２）。そして、このステップＳ２の判定で「ＹＥＳ」と判定された場合には、端子ＩＮ２に入力される信号がＨレベルであるかが判定される（ステップＳ３）。
【００２７】
このステップＳ３の判定で「ＹＥＳ」と判定された場合には、３６．５Ｖ電源をオンされる。つまり、電源１６から３６．５Ｖの電源がライン１３ｄを介してインクジェットヘッド１１に供給される。
【００２８】
つまり、フレキシブルケーブル１３の一端がメスコネクタ１１ａに真っ直ぐ挿入されていれば、コントローラ１２からインクジェットヘッド１１に対して３６．５Ｖの主電源が供給される（ステップＳ４）。フレキシブルケーブル１３の一端がメスコネクタ１１ａに真っ直ぐ挿入されていれば、従来のようにダンピング抵抗Ｒｄを破壊することを防止することができる。
【００２９】
一方、ステップＳ２あるいはＳ３において「ＮＯ」と判定された場合には、コントローラ１２の表示部（図示しない）の表示部にエラー表示される（ステップＳ５）。
【００３０】
ところで、フレキシブルケーブル１３の端部の両端のコンタクト部の長さＬ１を他のコンタクト部の長さＬ２×0.9より短くすることにより、フレキシブルケーブル１３の斜め挿しの検出精度を上げることができる。
【００３１】
さらに、図４に示すようにフレキシブルケーブル１３の両端を面取りすることにより、フレキシブルケーブル１３の両端のコンタクト部１３ｘ、１３ｙを他のコンタクト部よりも短くすることにより、フレキシブルケーブル１３の斜め挿しの検出精度を上げるようにしても良い。
【００３２】
上記実施の形態では、電源供給装置と電子機器とをフレキシブルケーブル１３で接続し、フレキシブルケーブル１３を介して電源を供給することを一例に挙げたが、電源を供給しなくても単に信号を伝送する信号ケーブルをフレキシブルケーブルを用いて構成し、その信号ケーブルの誤挿入を防止することにも適用可能である。
【００３３】
なお、上記実施の形態では、電子機器としてインクジェットヘッドを一例として挙げたが、これに限らず２種類の電源を供給されるものであれば、インクジェットヘッドに限らずサーマルヘッドでも良い。
【００３４】
さらに、上記実施の形態では、第２の電源として３６．５Ｖを使用したがこの電圧に限るものではない。
【図面の簡単な説明】
【００３５】
【図１】本発明の一実施の形態に係るフレキシブルケーブル斜め挿し防止機能付き電子機器の構成を示す図。
【図２】同実施の形態に係るコントローラの動作を説明するためのフローチャート。
【図３】同実施の形態に係るフレキシブルケーブルの両端のコンタクト部の形状を示す平面図。
【図４】同実施の形態に係るフレキシブルケーブルの両端のコンタクト部の形状の他の例を示す図。
【図５】従来のインクジェットヘッド及び電源供給部の構成を示す図。
【符号の説明】
【００３６】
１１…インクジェットヘッド、１２…コントローラ、１３…フレキシブルケーブル、１４…電源コントローラ。
【図１】
2006092868.tif 000003
【図２】
2006092868.tif 000004
【図３】
2006092868.tif 000005
【図４】
2006092868.tif 000006
【図５】
2006092868.tif 000007